(57)【特許請求の範囲】
【請求項１】
箱体内を熱伝導板で仕切って形成された一の空間部にゴキブリが好む温度を維持する熱源部を、他の空間部にゴキブリ捕獲部又は／及びゴキブリ用毒餌部を夫々設けると共に、
該箱体に双方の空間部を露出させる開閉可能な蓋部と、
該他の空間部と外界とを連通する連通孔と、
前記熱源部により暖められた前記箱体内の暖かい空気を放出するための排気口と、を設け、
前記連通孔と前記排気口との設置高さを異ならせることで前記箱体内に空気の対流を生じさせ、前記排気口から放出される餌の匂いの混じった暖かい空気により、ゴキブリを当該箱体内に誘引させることを特徴とするゴキブリ駆除装置。
【請求項２】
前記熱源部は、酸化熱を発生する着脱可能な化学カイロであることを特徴とする請求項１記載のゴキブリ駆除装置。
【請求項３】
前記熱源部は、所定時間経過後にゴキブリを死滅させる所要温度に一気に上昇する電熱ヒータであることを特徴とする請求項１記載のゴキブリ駆除装置。
【請求項４】
前記ゴキブリ捕獲部は、着脱可能な粘着トラップであることを特徴とする請求項１記載のゴキブリ駆除装置。
【請求項５】
前記ゴキブリ用毒餌部は、ホウ酸を混入させた毒餌であることを特徴とする請求項１記載のゴキブリ駆除装置。
【発明の詳細な説明】
【０００１】
【発明の属する技術分野】
この発明は、ゴキブリを駆除するゴキブリ駆除装置に関する。
【０００２】
【従来の技術】
現在、ゴキブリは、世界で約４０００種いると言われ、そのうち５９種のゴキブリが日本で確認されている。とりわけ日本においては、日本古来種であるヤマトゴキブリが以前多く見うけられていたが、現在においては、昨今の環境の変化、たとえば、コンクリート建築や、暖房の普及により、チャバネゴキブリやクロゴキブリといった外来種が大量に異常発生しているのが現状である。しかも、殺虫剤や燻煙剤などの駆除薬剤に対して抵抗性が増したゴキブリが出現し始め、現在、都市公害の一つに数えられるようになってきている。
【０００３】
このように都市公害の一つでもあるゴキブリの駆除には、これまで、いろいろな対策を講じてきている。
ここで、ゴキブリ駆除対策を大きく分類すると、
▲１▼  ゴキブリが食す餌となるものを清掃等によって無くすことによる環境的な駆除。
▲２▼  粘着トラップや罠を仕掛けておく物理的な駆除。
▲３▼  残効性のある薬剤による散布、燻煙、毒餌による化学的な駆除。
である。これらの手段はゴキブリを駆除する場所により適宜選択して用いるのが一般的である。
【０００４】
【発明が解決しようとする課題】
しかしながら、上記したゴキブリの駆除にはいくつかの問題点を有する。
まず、最初に挙げた環境的な駆除は、人間が生活を営む以上限界があり、人間の髪の毛でさえゴキブリの餌となり得るので、完全にゴキブリを排除する積極的な手段とは言えない。
【０００５】
次に挙げた物理的な駆除は、人やペットなどに安全であり、かつ、環境に優しいと言えるが、しかしながら、ゴキブリ駆除の効率を上げるためには、その設置数を増やさなければならない。
【０００６】
最後に挙げた化学的な駆除は、昨今の住宅が室内気密が増した上に、厨房とリビングなど一体化が多くなったため、かえって殺虫剤や燻煙剤等の駆除薬剤の使用はペットや人に危険となり、駆除薬剤の使用量に注意するなど取り扱いに十分配慮する必要が生じている。しかも、前述したように、これら駆除薬剤に対する抗体ゴキブリの出現によってその駆除と安全性の兼ね合いからその使用法がいっそう難しいものとなっている。
【０００７】
そこで本発明は、ゴキブリの駆除効率を向上させつつ、しかも、シンプルな構成で、かつ、安全性の高いゴキブリ駆除装置を提供することを目的とする。
【０００８】
【課題を解決するための手段】
上記課題を解決するために本発明にかかるゴキブリ駆除装置は、下記の技術的手段を講じた。
【０００９】
箱体内を熱伝導板で仕切って形成された一の空間部にゴキブリが好む温度を維持する熱源部を、他の空間部にゴキブリ捕獲部又は／及びゴキブリ用毒餌部を夫々設けると共に、該箱体に双方の空間部を露出させる開閉可能な蓋部と、該他の空間部と外界とを連通する連通孔と、熱源部により暖められた箱体内の暖かい空気を放出するための排気口とを設けた。
【００１０】
上記技術的手段によれば、熱源部によってゴキブリが好む温度、例えば摂氏２５〜３０度に維持させることで、熱伝導板を介して隣接したゴキブリ捕獲部又は/及びゴキブリ用毒餌部に伝熱し内部を暖める。暖められた空気はゴキブリの出入り口ともなる連通孔及び排気口から排気され、外界にいるゴキブリに当該装置の内部が暖かいことを認識させてゴキブリを引き寄せる。
【００１１】
また、これと同時にゴキブリ用毒餌部を採用した場合、毒餌が温められることで「匂い」がたち、この匂いによってもゴキブリを引き寄せる。なお、この匂いによるゴキブリの引き寄せ効果をさらに向上させるためには、熱伝導板に、肉汁、アルコール、でんぷん質、油を主成分としたジェリー状のゲルを塗布しておき、熱源部の発熱によって塗布材が揮発することで匂いが発散するため好ましいものである。
そして引き寄せられたゴキブリは、ゴキブリ用毒餌部を採用した場合、毒餌を食すことによって死に至る。また、ゴキブリ捕獲部を採用した場合は逃げることができないためやがて死に至る。またいずれも採用した場合はいずれかの作用によってゴキブリは死に至る。
【００１２】
また、ゴキブリ駆除装置を略閉鎖空間となる箱体にすることで、ゴキブリが好む高温多湿、狭い隙間や垂直の場所を形成した、いわば人工の巣を形成する。このようにすることでゴキブリが好んで潜むようになり、しかもそこで、ゴキブリが同類を誘引するフェロモン物質が含まれている糞をすることにより、さらにゴキブリが引き寄せられる（請求項１）。
【００１３】
前記した熱源部は、酸化熱を発生する着脱可能な化学カイロであったり（請求項２）、所定時間経過後にゴキブリを死滅させる所要温度に一気に上昇する電熱ヒータであることが好ましい（請求項３）。
【００１４】
また、前記したゴキブリ捕獲部は、着脱可能な粘着トラップであることが好ましく(請求項４）、さらに、前記したゴキブリ用毒餌部は、ホウ酸を混入させた毒餌であることが好ましい（請求項５）。
【００１５】
【発明の実施の形態】
次に、本発明の実施の形態を図１〜図３を用いて説明をする。本実施形態のゴキブリ駆除装置は、多くのゴキブリを誘引して死に至らしめる好適なものを例示している。図中、符号Ｆはゴキブリ駆除装置を、符号Ｅは箱体を、符号Ｇはゴキブリ用毒餌部を、符号Ｈは熱源部を、符号Ｉはゴキブリ捕獲部を、夫々示す。
【００１６】
本実施形態におけるゴキブリ駆除装置は、箱体Ｅと、熱源部Ｈと、ゴキブリ捕獲部Ｉと、ゴキブリ用毒餌部Ｇとを備えて構成される。
【００１７】
箱体Ｅは、図１に示すように、外観形状略直方体状に形成され、その頂部にはヒンジ（図示せず）を介して開閉可能な蓋部Ｄを設け、その蓋部Ｄの開閉方向と同方向に箱体Ｅ内に熱伝導板１を立設させて２つの空間部Ｂ、Ｃを仕切り形成させている。この空間部は、蓋基部側に形成された空間部に熱源部Ｈを収納させる一の空間部Ｃとし、蓋開放端部側に形成された空間部をゴキブリ捕獲部Ｉとゴキブリ用毒餌部Ｇとを収納させる他の空間部Ｂとしている。
【００１８】
この箱体Ｅは、断熱性を有する部材で構成されており、熱源部Ｈからの放熱によって暖められた内部を維持するようになっている。この断熱性を有する部材は、断熱効果を発揮できるものであればいずれでも良く、さらに、プラスチックなどの合成樹脂部材に断熱シートを貼着させた構成にしても良い。
【００１９】
前記した一の空間部Ｃは、後述する化学カイロが着脱可能に挿嵌できる所要の幅で形成されており、ヒンジ部側の構成板内側には化学カイロを案内・保持するためのガイド杆５が所定間隔をおいて立設され、そのガイド杆５間に形成された間隙によって化学カイロに十分な空気が供給されるようになっている。
【００２０】
また、熱伝導板１を挟んで形成された他の空間部Ｂは、後述する粘着トラップが着脱可能にかつ粘着トラップを挿入した状態でゴキブリが行き来できる程度の所要の幅で形成されていると共に、熱伝導板１の高さ方向中途部から粘着トラップを立設するように載承する載置板４が突設され、さらにこの載置板４の下方には、略への字状に折り曲げ形成され毒餌を載置する給餌板１−１が熱伝導板１基端部から突設されている。
【００２１】
この給餌板１−１は、熱伝導板１と連続した同一部材で構成されており、熱源部Ｈである化学カイロから発せられた熱が熱伝導板１を介して伝熱し、給餌板１−１に載置された毒餌が温められることで「匂い」がたつようになっている。
なお、この載置板４は、低毒ではあるがホウ酸を混入した毒餌を使用しているので、毒餌個所以外はゴキブリなどの虫以外のものが接触できないようにするためのカバーの役割をも果たし、また、給餌板１−１を略への字状に折り曲げ形成したことでゴキブリなどの虫以外のものが直接接触できないようになっており、薬事法による安全基準をクリアしている。
【００２２】
箱体Ｅ前面には、他の空間部Ｂと外界とを連通する連通孔が開設されており、この連通孔は、底面近傍に開設され主にゴキブリが出入りするための出入口２と、箱体Ｅ前面の高さ方向略中間部に所定間隔をおいて開設され主に暖められた内部空気を放出するための排気口３とで構成される。
この高さを異にする出入口２と排気口３とで箱体Ｅ内に対流が生じ、排気口３から餌の匂いの混じった暖かい空気が放出されることで、ゴキブリが当該装置Ｆへ引き寄せられるようになっている。
【００２３】
熱源部Ｈは、酸化熱を発生する極めて安価で安全性の高い市販の化学カイロであり、前記した箱体Ｅの一の空間部Ｃに着脱可能に収納されている。
【００２４】
ゴキブリ捕獲部Ｉは、組み立て型の市販の粘着トラップであり、前記した箱体Ｅの他の空間部Ｂに粘着トラップ入り口が上下に位置するように着脱可能に立設収納されている。このように、粘着トラップを立てるようにした方が、壁面で休む習性があるゴキブリに最適でゴキブリ捕獲率が向上する。
【００２５】
ゴキブリ用毒餌部Ｇは、チャバネゴキブリやクロゴキブリなど主要ゴキブリが好むように、穀類、澱粉、肉、糖分、油等を混合した餌にホウ酸を混入させて構成されている。餌の匂いがたつようにアルコール類を混合させてもよいもので、その場合、アルコールの揮発と伴って匂いが発散される。
【００２６】
次に、以上のように構成された本実施形態におけるゴキブリ駆除装置を用いたゴキブリの駆除手順を説明する。
まず、箱体Ｅの蓋部Ｄを開いて袋から取り出した市販の化学カイロを一の空間部Ｃに挿入し、他の空間部Ｂに組み立てた市販の粘着トラップをゴキブリの入り口が上下に位置するように挿入する。
【００２７】
次にゴキブリが出入りするための出入口２を介して毒餌を挿入し給餌板１−１奥に毒餌を載置させ、厨房の片隅等、ゴキブリが潜んでいると思われる所に設置する。
やがて化学カイロが空気（酸素）と化学反応して酸化熱を発生させる。発生した熱は熱伝導板１を介して伝熱し、ゴキブリ捕獲部Ｉとゴキブリ用毒餌部Ｇとを有した他の空間部Ｂ全体の内部温度が３０度程度まで上昇する。
【００２８】
外界との温度差が生じると、出入口２と排気口３とで箱体Ｅ内に対流が生じて排気口３から餌の匂いの混じった暖かい空気が放出される。
触覚と気門で餌の匂いを感知したゴキブリは、当該装置Ｆへ引き寄せられ、出入口２から、あるいは排気口３から侵入する。
進入してきたゴキブリは、毒餌を食べたり、粘着トラップに捕獲されたりすることで駆除される。
【００２９】
このとき粘着トラップに捕獲されなかったゴキブリは、当該装置Ｆは、餌があり暖かい巣となる好適なものであることを学習し記憶するので、生息の主体を当該装置Ｆに移しだし、同類を誘引するフェロモン物質が含まれている糞を排泄し生息し出す。また、この化学カイロは約３０〜４０時間は発熱しているので、ゴキブリの体内時計による活動回数の約５〜６回にあたり、かならず１回は毒餌を食すことになると思われる。
【００３０】
毒餌を食べたゴキブリは、ゴキブリの消化機能を担うゴキブリ内微生物をホウ酸によって死滅させてゴキブリの消化機能を奪い、毒餌を食す前の状態と比べて約１／４程度となるまでやせ細り死に至る。
【００３１】
粘着トラップに捕獲されたゴキブリは、直接危害を与えない限り仲間に危険であることを報知させる危険フェロモンを出すことなく、ゴキブリの誘引効果を出しながら徐々に弱り死に至る（逆に仲間寄ってくることは科学的に解明されていないが知見されている）。
【００３２】
化学カイロの発熱が終了したら、大量にゴキブリが発生している場合等は化学カイロを適宜交換（１週間に３回程度が目安）して駆除を続行させる。
駆除を終了させたい場合は、装置Ｆ内にゴキブリが生存していることも考慮して出入口２と排気口３とを接着テープ等で密封してから廃棄する。
【００３３】
このように、毒餌に粘着トラップを併用することにより、粘着トラップにゴキブリが捕獲されていれば、その数倍のゴキブリが生息していることが分かり、粘着トラップに捕獲されずとも毒餌を食べている可能性の目安となる。また、粘着トラップによるゴキブリの捕獲数が次回の駆除設置場所のデータにもなるので好適である。
【００３４】
なお、毒餌の効果は約半年程度は有効であるので、そのまま放置しても駆除効果はあり、放置することは任意である。
【００３５】
以上、本実施形態におけるゴキブリ駆除装置を説明したが、このものに限定されず、熱源部Ｈとゴキブリ捕獲部Ｉのみとの組み合わせ、熱源部Ｈとゴキブリ用毒餌部Ｇのみとの組み合わせでも良いものである。
【００３６】
また、本実施形態における熱源部Ｈは、市販の化学カイロを用いたものを説明したが、サーモスタットと温度コントロールタイマ等を内蔵した電熱ヒータで構成しても良く、この場合、ゴキブリが引き寄せられたと思われる約３日後間隔でゴキブリが死滅する摂氏８０度くらいまでに一気に温度上昇可能に構成することが極めて好適である。
【００３７】
【発明の効果】
本発明は、以上のように構成したから下記の有利な効果を奏する。
請求項１によれば、熱源部の発した熱が熱伝導板を介して隣接したゴキブリ捕獲部又は/及びゴキブリ用毒餌部に伝熱して内部を暖め、ゴキブリの出入り口ともなる連通孔から暖められた空気が排気され、外界にいるゴキブリに当該装置の内部が暖かいことをゴキブリに認識させるから、従来の室温に依存したゴキブリ捕獲手段に比べゴキブリを多く引き寄せ駆除することができる。
【００３８】
しかも、これと同時にゴキブリ用毒餌部を採用した場合、毒餌が温められることで「匂い」がたち、この匂いが暖められた空気が排気するから、更に多くのゴキブリを引き寄せることができ、毒餌を食すことによってゴキブリが死に至り、ゴキブリの駆除効率が従来の室温に依存したゴキブリ捕獲手段に比べて飛躍的に伸ばすことができる。
【００３９】
また、ゴキブリ捕獲部を採用した場合は、直接危害を与えない限り仲間に危険であることを報知させる危険フェロモンを出さずに、逆に仲間寄ってくることから、ゴキブリを捕獲しつつ、他のゴキブリの誘引効果を出しながら徐々に弱り、やがて死に至らしめるため、ゴキブリの駆除効率が従来の室温に依存したゴキブリ捕獲手段に比べて飛躍的に伸ばすことができる。
さらに、いずれも採用した場合は、いずれかの作用によって多くのゴキブリを引き寄せ駆除することができる。
【００４０】
また、ゴキブリ駆除装置を略閉鎖空間となる箱体にすることで、ゴキブリが好む高温多湿、狭い隙間や垂直の場所を形成したいわば人工の巣とするから、多くのゴキブリが生息の主体を当該装置に移しだし、そこで、ゴキブリが同類を誘引するフェロモン物質が含まれている糞をすることにより、さらなる多くのゴキブリを引き寄せ一括して駆除することができる。
【００４１】
請求項２によれば、熱源部を化学カイロにしたことから、安価で安全性の高いゴキブリ駆除装置を提供することができる。
【００４２】
請求項３によれば、電熱ヒータで構成したから、熱源部の交換を省くことができ、しかも、所定時間経過後にゴキブリを死滅させる所要温度に一気に上昇するように構成して第３の駆除手段を備えたから、確実に多くのゴキブリを駆除することができる。
【００４３】
請求項４によれば、ゴキブリ捕獲部を着脱可能な粘着トラップにしたから、安価で安全性の高いゴキブリ駆除装置を提供することができる。
【００４４】
請求項５によれば、ゴキブリ用毒餌部を、ホウ酸を混入させた毒餌としたことにより、ゴキブリの消化機能を担うゴキブリ内微生物を死滅させて、結果的にゴキブリの消化機能を奪うことで駆除するから、安価で安全性の高く、かつ確実にゴキブリを駆除できるゴキブリ駆除装置を提供することができる。
このように本発明によれば、シンプルな構成で、かつ、安全性の高い極めて好適なゴキブリ駆除装置を提供することができる。
【図面の簡単な説明】
【図１】本実施形態にかかるゴキブリ駆除装置の開蓋状態の正面側斜視図である。
【図２】同、開蓋状態の平面図である。
【図３】同、図２のIII−III線に沿える縦断側面図である。
【符号の説明】
１  熱伝導板
２  出入口
３  排気口
Ｂ  他の空間部
Ｃ  一の空間部
Ｄ  蓋部
Ｅ  箱体
Ｆ  ゴキブリ駆除装置
Ｇ  ゴキブリ用毒餌部
Ｈ  熱源部
Ｉ  ゴキブリ捕獲部
【図１】
0003718657.tif 000002
【図２】
0003718657.tif 000003
【図３】
0003718657.tif 000004